【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
放射線治療におけるベッド位置決めシステムにおいて、
ベッド位置決めの参照画像である第１画像を提供する第１画像データを生成し、前記第１画像データに設定済みの第１計算点の座標値を付加して保存し、第１画像ファイルを生成する第１画像ファイル生成装置と、
前記第１画像ファイルを用いて前記第１画像を表示するとともに、前記第１画像上の前記設定済みの第１計算点に対応する位置に前記第１計算点を表示し、かつベッド上の照射対象を撮影した現在画像である第２画像を表示し、前記第１画像データに付加された前記第１計算点の座標値と前記第２画像上の目標位置に設定した第２計算点の座標値とを用いてベッド位置決めデータを生成するベッド位置決め装置とを備えることを特徴とするベッド位置決めシステム。
【請求項２】
請求項１記載のベッド位置決めシステムにおいて、
前記第１画像ファイル生成装置は、前記第１画像データとして、Ｘ線ＣＴ画像を提供するＣＴ画像データに基づいてＸ線による撮像を模擬したＸ線透視画像を演算処理によって生成することを特徴とするベッド位置決めシステム。
【請求項３】
請求項２記載のベッド位置決めシステムにおいて、
前記第１画像ファイル生成装置は、前記第１計算点を前記Ｘ線ＣＴ画像に設定し、そのＸ線ＣＴ画像に設定した第１計算点の三次元の座標値を用いて前記第１画像における前記第１計算点の二次元の座標値を演算し、前記第１画像ファイルに、前記第１計算点の座標値として、前記三次元の座標値と前記二次元の座標値を付加することを特徴とするベッド位置決めシステム。
【請求項４】
請求項１〜３のいずれか１項記載のベッド位置決めシステムにおいて、
前記ベッド位置決め装置は、前記第２画像としてＸ線画像撮像システムにより得たＸ線透視画像を用いることを特徴とするベッド位置決めシステム。
【請求項５】
請求項１〜３のいずれか１項記載のベッド位置決めシステムにおいて、
前記ベッド位置決め装置は、前記第２画像に設定した第２計算点を入力手段の指示に応じて移動する編集機能を備えることを特徴とするベッド位置決めシステム。
【請求項６】
請求項１〜３のいずれか１項記載のベッド位置決めシステムにおいて、
前記ベッド位置決め装置は、前記第１画像上に表示された前記第１計算点を前記第２画像上の同じ座標位置に仮の第２計算点として表示する転写機能と、前記第２画像上に表示された前記仮の第２計算点を入力手段の指示に応じて移動する編集機能とを備え、この編集機能による移動後の仮の第２計算点を前記第２計算点として設定することを特徴とするベッド位置決めシステム。
【請求項７】
請求項１〜３のいずれか１項記載のベッド位置決めシステムにおいて、
前記ベッド位置決め装置は、前記ベッド位置決めデータのベッド移動量を反映した新たな第２画像データ及び第２計算点の座標値を生成し、前記新たな第２画像データに前記新たな第２計算点の座標値を付加して保存し、第２画像ファイルを生成する第２画像ファイル生成装置を備えることを特徴とするベッド位置決めシステム。
【請求項８】
請求項７記載のベッド位置決めシステムにおいて、
前記第２画像ファイル生成装置は、前記第２演算装置で生成したベッド位置決めデータに基づいて前記第２画像及び前記第２計算点の二次元の座標値を座標変換し、この座標変換後の第２画像を提供する第２画像データ及び第２計算点の座標値を前記新たな第２画像データ及び第２計算点の座標値として保存し、前記第２画像ファイルを生成することを特徴とするベッド位置決めシステム。
【請求項９】
請求項１記載のベッド位置決めシステムにおいて、
前記第１画像ファイル生成装置は、
第１表示装置と、
この第１表示装置にＸ線ＣＴ画像を表示させ、この第１表示装置に表示されたＸ線ＣＴ画像に前記第１計算点を設定する第１演算装置と、
前記Ｘ線ＣＴ画像を提供するＣＴ画像データに基づいてＸ線による撮像を模擬した画像データを前記第１画像データとして生成する第２演算装置と、
前記ＣＴ画像に設定した前記第１計算点の三次元の座標値を用いて前記第１画像における前記第１計算点の二次元の座標値を演算し、前記第１画像データに前記第１計算点の三次元の座標値と二次元の座標値を付加して保存し、前記第１画像ファイルを生成する第３演算装置とを有することを特徴とするベッド位置決めシステム。
【請求項１０】
請求項１又は９記載のベッド位置決めシステムにおいて、
前記ベッド位置決め装置は、
第２表示装置と、
この第２表示装置に前記第１画像及び前記第１計算点と前記第２画像を表示させ、この第２表示装置に表示された第２画像上の目標位置に前記第２計算点を設定する第４演算装置と、
前記第１計算点の座標値と前記第２計算点の座標値とを用いて前記ベッド位置決めデータを生成する第５演算装置とを有することを特徴とするベッド位置決めシステム。
【請求項１１】
放射線治療における治療計画装置において、
表示装置と、
この表示装置にＸ線ＣＴ画像を表示させ、この表示装置に表示されたＸ線ＣＴ画像に第１計算点を設定する第１演算装置と、
前記Ｘ線ＣＴ画像を提供するＣＴ画像データに基づいてＸ線による撮像を模擬した第１画像を提供する第１画像データを生成する第２演算装置と、
前記Ｘ線ＣＴ画像に設定した前記第１計算点の三次元の座標値を用いて前記第１画像における前記第１計算点の二次元の座標値を演算し、前記第１画像データに前記第１計算点の三次元の座標値と二次元の座標値を付加して保存し、第１画像ファイルを生成する第３演算装置とを備えることを特徴とする治療計画装置。
【請求項１２】
放射線治療におけるベッド位置決め装置において、
表示装置と、
この表示装置にベッド位置決めの参照画像である第１画像を表示させるとともに、前記第１画像上の設定済みの第１計算点に対応する位置に前記第１計算点を表示させ、かつベッド上の照射対象を撮影した現在画像である第２画像を表示させ、この表示装置に表示された第２画像上の目標位置に第２計算点を設定する第４演算装置と、
前記設定済みの第１計算点の座標値と前記第２計算点の座標値とを用いてベッド位置決めデータを生成する第５演算装置とを備えることを特徴とするベッド位置決め装置。
【請求項１３】
請求項１２記載のベッド位置決め装置において、
前記第４演算装置は、
前記第１画像上に表示された前記第１計算点を前記第２画像上の同じ座標位置に仮の第２計算点として表示する転写機能と、前記第２画像上に表示された前記仮の第２計算点を入力手段の指示に応じて移動する編集機能とを備え、この編集機能による移動後の仮の第２計算点を前記第２計算点として設定することを特徴とするベッド位置決め装置。
【請求項１４】
請求項１２記載のベッド位置決め装置において、
前記第５演算装置は、前記第４演算装置により設定した前記第２計算点の二次元の座標値を三次元の座標値に再構成する演算を行い、前記設定済みの第１計算点の三次元の座標値と前記第２計算点の三次元の座標値とを用いてベッド位置決めデータを生成することを特徴とするベッド位置決め装置。
【請求項１５】
請求項１２記載のベッド位置決め装置において、
前記第５演算装置は、前記ベッド位置決めデータのベッド移動量を反映した新たな第２画像データ及び第２計算点の座標値を生成し、前記新たな第２画像データに前記新たな第２計算点の座標値を付加して保存し、第２画像ファイルを生成することを特徴とするベッド位置決め装置。
【請求項１６】
請求項１５記載のベッド位置決め装置において、
前記第５演算装置は、生成したベッド位置決めデータに基づいて前記第２画像及び前記第２計算点の二次元の座標値を座標変換し、この座標変換後の第２画像を提供する第２画像データ及び第２計算点の座標値を前記新たな第２画像データ及び第２計算点の座標値として保存し、前記第２画像ファイルを生成することを特徴とするベッド位置決め装置。
【請求項１７】
請求項１２記載のベッド位置決め装置において、
前記第５演算装置は、前記設定済みの第１計算点の座標値と前記第２計算点の座標値との偏差を演算し、その偏差が最小となる前記第２計算点の移動量を演算し、この移動量に基づいて前記ベッド位置決めデータを生成することを特徴とするベッド位置決め装置。
【請求項１８】
請求項１７記載のベッド位置決め装置において、
前記第５演算装置は、前記第２計算点の移動量に応じて前記第２画像及び前記第２計算点の二次元の座標値を座標変換して、前記表示装置に表示し、入力手段より承認通知を受信すると、前記ベッド位置決めデータを有効化することを特徴とするベッド位置決め装置。